(57)【特許請求の範囲】
【請求項１】
通信システムにおいてユーザにアドレスされた情報を識別する方法であって、２つ以上の受信器が受信する共用チャンネルを経て、トレーニングシーケンスが与えられたデータパケットを送信し(604)、そしてトレーニングシーケンスに基づいて受信器でチャンネル推定値を発生する(606)ことを含む方法において、
異なる受信器又は受信器グループにアドレスされたデータパケットに、異なるトレーニングシーケンスを与え、
受信器にアドレスされたデータパケットとして識別され(610)、そして受信器がトレーニングシーケンスを識別するところの受信したデータパケットを受信器において更に処理し、そして
受信器がトレーニングシーケンスを識別しないデータパケットを受信器において無視する、
という段階を含むことを特徴とする方法。
【請求項２】
上記識別段階は、
受信器において、チャンネル推定値を、チャンネルのクオリティを測定するスレッシュホールド値と比較し、
チャンネル推定値がスレッシュホールド値を越えるときにはデータパケットを更に処理し、そして
チャンネル推定値がスレッシュホールド値より小さいときにはデータパケットを無視する、
という段階を含む請求項１に記載の方法。
【請求項３】
上記チャンネル推定値は、信号干渉比(SIR)、搬送波／干渉比(C/I)、ビットエラー比(BER)、又はチップエネルギーと障害電力周波数との比(Ec/Io)である請求項２に記載の方法。
【請求項４】
受信器が共用チャンネルにおいて使用すべきトレーニングシーケンスは、共用チャンネルへのハンドオーバーの前に受信器に指示される請求項１、２又は３に記載の方法。
【請求項５】
受信器は、上記共用チャンネルと、並列専用チャンネルとの両方において時分割式に受信を行う請求項１、２、３又は４に記載の方法。
【請求項６】
上記並列専用チャンネルは、制御チャンネルである請求項５に記載の方法。
【請求項７】
各専用チャンネルは、異なるトレーニングシーケンスを使用する請求項５又は６に記載の方法。
【請求項８】
受信器は、共用チャンネルに、並列専用チャンネルと同じトレーニングシーケンスを使用する請求項５、６又は７に記載の方法。
【請求項９】
上記トレーニングシーケンスは、共用チャンネルへのハンドオーバーの前に共通の制御チャンネル又は並列の専用チャンネルを経て受信器に指示される請求項１ないし８のいずれかに記載の方法。
【請求項１０】
共用チャンネルの受け入れられたデータパケットを更に処理する前にそれに対してＣＲＣ（繰り返し冗長チェック）を実行する請求項１又は２に記載の方法。
【請求項１１】
上記チャンネル推定のスレッシュホールド値は、専用チャンネルを経て受信されたデータパケットに基づいて発生される請求項１、２又は５に記載の方法。
【請求項１２】
上記通信システムは、時分割多重アクセス型のセルラー無線ネットワークであり、上記共用チャンネルは、タイムスロットであり、そして上記データパケットは、タイムスロットにおいて送信されるべき無線バーストであって少なくとも上記トレーニングシーケンス及びデータを含む無線バーストである請求項１ないし１１のいずれかに記載の方法。
【請求項１３】
上記共用チャンネルがある搬送波には時分割デュープレックス原理（ＴＤＤ）が使用される請求項１０に記載の方法。
【請求項１４】
異なる拡散コードを使用してＣＤＭＡ原理で共用チャンネルのタイムスロットにおいて多数の無線バーストが同時に送信され、そして異なる受信器又は受信器グループに対し異なるトレーニングシーケンスが無線バーストにおいて使用される請求項１０又は１１に記載の方法。
【請求項１５】
上記受信器は、異なる拡散コードをもつ多数の無線バーストを同時に受信し、そしてそれがトレーニングシーケンスを識別するところの１つ以上の無線バーストを受け入れる請求項１２に記載の方法。
【請求項１６】
上記受信器は、トレーニングシーケンス及び拡散コードの両方により無線バーストを識別する請求項１２又は１３に記載の方法。
【請求項１７】
共用タイムスロットに、一度に１つのＴＤＭＡフレームが割り当てられ、そしてトレーニングシーケンスを使用して、どの受信器又は受信器グループにタイムスロットが各フレームに割り当てられるかを指示する請求項１０ないし１４のいずれかに記載の方法。
【請求項１８】
少なくとも１つの送信器(120)及び少なくとも１つの受信器(UE)を備えた通信システムであって、送信器(120)は、トレーニングシーケンス(300)が与えられたデータパケット(330A-330D)を共用チャンネル(312)に送信するように構成され、このチャンネルを経て２つ以上の受信器(UE)が上記データパケット(330A-330D)を受信するように構成され、そして受信器(UE)は、トレーニングシーケンス(300)に基づいてチャンネル推定値を発生するように構成された通信システムにおいて、
この通信システムは、異なる受信器(UE)又は受信器グループにアドレスされたデータパケット(330A-330D)に異なるトレーニングシーケンス(300)を与えるように構成され、
上記受信器(UE)は、その受信器(UE)にアドレスされたデータパケットであって受信器(UE)がトレーニングシーケンス(300)を識別するところのデータパケット(330A-330D)を識別しそして更に処理するように構成され、
上記受信器(UE)は、その受信器(UE)がトレーニングシーケンス(300)を識別しないデータパケット(330A-330D)を無視するように構成されたことを特徴とする通信システム。
【請求項１９】
上記受信器は、チャンネル推定値を、チャンネルのクオリティを測定するスレッシュホールド値と比較するように構成され、
上記受信器は、チャンネル推定値がスレッシュホールド値を越えるときにデータパケットを更に処理するように構成され、そして
上記受信器は、チャンネル推定値がスレッシュホールド値より小さいときにはデータパケットを無視するように構成される請求項１８に記載の通信システム。
【請求項２０】
上記チャンネル推定値は、信号干渉比(SIR)、搬送波／干渉比(C/I)、ビットエラー比(BER)、又はチップエネルギーと障害電力周波数との比(Ec/Io)である請求項１９に記載の通信システム。
【請求項２１】
上記送信器は、共用チャンネルへのハンドオーバーの前に受信器が共用チャンネルにおいて使用すべきトレーニングシーケンスを指示するように構成された請求項１８、１９又は２０に記載の通信システム。
【請求項２２】
上記受信器は、上記共用チャンネルと、並列専用チャンネルとの両方において時分割式に受信を行う請求項１８、１９、２０又は２１に記載の通信システム。
【請求項２３】
上記並列専用チャンネルは、制御チャンネルである請求項２２に記載の通信システム。
【請求項２４】
上記通信システムは、各専用チャンネルに異なるトレーニングシーケンスを使用するように構成された請求項２２又は２３に記載の通信システム。
【請求項２５】
上記受信器は、共用チャンネルに、並列専用チャンネルと同じトレーニングシーケンスを使用するように構成された請求項２２、２３又は２４に記載の通信システム。
【請求項２６】
上記送信器は、共用チャンネルへのハンドオーバーの前に共通の制御チャンネル又は並列の専用チャンネルを経て受信器にトレーニングシーケンスを指示するように構成された請求項１７ないし２５のいずれかに記載の通信システム。
【請求項２７】
上記受信器は、共用チャンネルの受け入れられたデータパケットを更に処理する前にそれに対してＣＲＣ（繰り返し冗長チェック）を実行するように構成された請求項１８又は１９に記載の通信システム。
【請求項２８】
上記受信器は、上記チャンネル推定のスレッシュホールド値を、専用チャンネルを経て受信されたデータパケットに基づいて発生するように構成された請求項１８、１９又は２２に記載の通信システム。
【請求項２９】
上記通信システムは、時分割多重アクセス型のセルラー無線ネットワークであり、上記共用チャンネルは、タイムスロットであり、そして上記データパケットは、タイムスロットにおいて送信されるべき無線バーストであって少なくとも上記トレーニングシーケンス及びデータを含む無線バーストである請求項１８ないし２８のいずれかに記載の通信システム。
【請求項３０】
上記通信システムは、上記共用チャンネルがある搬送波において時分割デュープレックス原理（ＴＤＤ）を使用するように構成された請求項２９に記載の通信システム。
【請求項３１】
上記送信器は、異なる拡散コードを使用してＣＤＭＡ原理で共用チャンネルのタイムスロットにおいて多数の無線バーストを同時に送信するように構成され、そして上記送信器は、異なる受信器又は受信器グループに対し異なるトレーニングシーケンスを無線バーストにおいて使用するように構成された請求項２９又は３０に記載の通信システム。
【請求項３２】
上記受信器は、異なる拡散コードをもつ多数の無線バーストを同時に受信するように構成され、そして上記受信器は、それがトレーニングシーケンスを識別するところの１つ以上の無線バーストを受け入れるように構成された請求項３１に記載の通信システム。
【請求項３３】
上記受信器は、トレーニングシーケンス及び拡散コードの両方により無線バーストを識別するように構成された請求項３１又は３２に記載の通信システム。
【請求項３４】
上記通信システムは、共用タイムスロットに一度に１つのＴＤＭＡフレームを割り当てるように構成され、そして上記送信器は、トレーニングシーケンスを使用して、どの受信器又は受信器グループにタイムスロットが各フレームに割り当てられるかを指示するように構成された請求項２９ないし３３のいずれかに記載の通信システム。
【請求項３５】
トレーニングシーケンスが与えられたデータパケットを共用チャンネルを経て送信し、上記共用チャンネル以外のチャンネルにて受信器へ上記トレーニングシーケンスを指示するように構成されているような通信システムのための送信器であって、異なるトレーニングシーケンスをもって異なる受信器または受信器グループへアドレスされたデータパケットを上記共用チャンネルにて送信するように構成されていることを特徴とする送信器。
【請求項３６】
ベースステーションである請求項３５に記載の送信器。
【請求項３７】
トレーニングシーケンス（３００）が与えられたデータパケット（３３０Ａから３３０Ｄ）を共用チャンネルを経て受信し且つ上記トレーニングシーケンス（３００）に基づいてチャンネル推定値を発生するように構成されているような通信システムにおける受信器（ＵＥ）であって、該受信器（ＵＥ）が識別するトレーニングシーケンス（３００）を有するデータパケット（３３０Ａから３３０Ｄ）を更に処理し、該受信器（ＵＥ）が識別しないトレーニングシーケンス（３００）を有するデータパケット（３３０Ａから３３０Ｄ）を無視するように構成されたことを特徴とする受信器。
【請求項３８】
移動電話である請求項３７に記載の受信器。
【発明の詳細な説明】
【０００１】
【技術分野】
本発明は、通信システムにおいてユーザにアドレスされた情報を識別する方法であって、２つ以上の受信器が受信する共用チャンネルを経て、トレーニングシーケンスが与えられたデータパケットを送信し、そしてトレーニングシーケンスに基づいて受信器でチャンネル推定を発生する段階を含む方法に係る。
又、本発明は、少なくとも１つの送信器及び少なくとも１つの受信器を備えた通信システムであって、送信器は、トレーニングシーケンスが与えられたデータパケットを共用チャンネルに送信するように構成され、このチャンネルを経て２つ以上の受信器が上記データパケットを受信するように構成され、そして受信器は、トレーニングシーケンスに基づいてチャンネル推定を発生するように構成された通信システムにも係る。
【０００２】
【背景技術】
デジタル無線システムは、多様性のあるユーザサービスを与えるが、スピーチ及びデータを高いレートで転送できることを必要とする。ほとんどのサービスの性質は、依然として、インターネットベースのブラウザが使用されるときのように、データ送信の必要性が、ダウンリンク方向、即ち無線システムからターミナルへの方向に高いというものである。更に、データサービスの性質は、データ送信の必要性が過渡的であるというものであり、それ故、無線システムのリソースを効率的に利用するという観点からユーザに高い容量を常時指定するのは効果的でない。
【０００３】
デジタル無線システムに使用されるデュープレックス方法ＴＤＤ（時分割デュープレックス）は、データトラフィックにより無線システムに対して生じる上記形式の必要性に対する部分的な回答である。ＴＤＤシステムでは、アップリンク及びダウンリンク方向は互いに時間的に分離され、そして同じ周波数範囲で動作する。ＴＤＤをベースとするあるシステムでは、送信方向と送信方向との間の境界が厳密に規定されず、タイムスロットのような多数の無線リソースを、必要に応じて、例えば、ダウンリンク方向に割り当てることができる。更に、デジタル無線システムは、異なる目的で指定された種々のチャンネルを備えている。あるチャンネルは、専用チャンネルと称され、従って、無線周波数、タイムスロット及び拡散コードの所与の組み合わせのようなデータ送信リソースが、無線ネットワークとターミナルとの間のデータ送信に指定される。又、あるチャンネルは、共通のチャンネルであり、従って、無線ネットワークとターミナルとの間にデータ送信リソースは指定されず、全てのターミナルが全てのチャンネルを聴取することができる。この場合に、無線システムは、例えば、多数のユーザにより共用される共通のトラフィックチャンネルを備え、これを経てターミナルが情報を受信するのと同時にターミナルが専用チャンネルを経て無線ネットワークにおいて通信することができる。共用チャンネルは、データトラフィックに使用するのに特に良く適している。というのは、データ送信容量の低い専用チャンネルにより与えられる容量を高めることができるからである。
【０００４】
あるデジタル無線システムでは、無線チャンネルを経て送信されるべき情報は、特定フォーマットの情報パケットであるバーストへと構成される。バースト状のトラフィックとは別に、無線システムの無線チャンネルには連続的な送信がなされる。チャンネルに基づき、バーストで送信されるべき情報は、無線システムの使用に関連したユーザデータ又は制御情報、或いはしばしばその両方を含むことがある。例えば、データ送信に使用される通常バーストの構造は、バーストが、中間に、ターミナルに知られた多数の所定記号より成るトレーニングシーケンスを含むというものである。トレーニングシーケンスの両側には、データ周期があり、そしてバーストは、更に、バーストを他のバーストから分離する保護周期を含む。受信器は、受信したトレーニングシーケンスを既知のトレーニングシーケンスと比較し、そしてそれに基づいて、受信信号を良好に復調することができる。又、ＴＦＣＩ（搬送フォーマット組合せ指示子）のような僅かなデータエレメントの長さの指示子をバーストに挿入して、ユーザビットレートのような無線ネットワークの使用に関する情報をターミナルに供給することも知られている。ＴＦＣＩ指示子は、更に、例えば、バーストの受信器を共用チャンネルにおいて指示できるようにする。上記形式の制御情報をターミナルに送信する別の方法は、その目的で指定された制御チャンネルを使用することである。
【０００５】
しかしながら、既知の方法には欠点がある。あるビット長さのＴＦＣＩ指示子の使用は、必要な制御情報をユーザに確実に送信するのに必ずしも充分でない。というのは、無線インターフェイスに干渉があるからである。バーストにおけるＴＦＣＩビットの使用は、システムのデータ送信容量を更に低下させる。というのは、バーストにおいて実際のユーザデータに対するスペースがほとんどないからである。又、制御情報を送信するための高レベルシグナリングの使用も、システム容量を必要とする。というのは、システムを経て送信されるべき制御信号は、無線システムの多数のサブエリアの測定を必要とするからである。
【０００６】
【発明の開示】
本発明の目的は、通信システムにおいてユーザにアドレスされた情報を識別するための改良された方法及び装置を提供することである。この目的は、通信システムにおいてユーザにアドレスされた情報を識別する以下に述べる方法によって達成される。この方法においては、２つ以上の受信器が受信する共用チャンネルを経て、トレーニングシーケンスを含むデータパケットを送信し、そしてトレーニングシーケンスに基づいて受信器でチャンネル推定値を発生する。この方法においては、異なる受信器又は受信器グループにアドレスされたデータパケットに異なるトレーニングシーケンスを与え、受信器にアドレスされたデータパケットとして識別され、そして受信器がトレーニングシーケンスを識別するところの受信したデータパケットを受信器において更に処理し、そして受信器がトレーニングシーケンスを識別しないデータパケットを受信器において無視する。
【０００７】
更に、本発明は、少なくとも１つの送信器及び少なくとも１つの受信器を備えた通信システムであって、送信器は、トレーニングシーケンスを含むデータパケットを共用チャンネルに送信するように構成され、このチャンネルを経て２つ以上の受信器が上記データパケットを受信するように構成され、そして受信器は、トレーニングシーケンスに基づいてチャンネル推定値を発生するように構成された通信システムにも係る。この通信システムは、異なる受信器又は受信器グループにアドレスされたデータパケットに異なるトレーニングシーケンスを与えるように構成され、上記受信器は、その受信器にアドレスされたデータパケットであって受信器がトレーニングシーケンスを識別するところのデータパケットを識別しそして更に処理するように構成され、そして上記受信器は、その受信器がトレーニングシーケンスを識別しないデータパケットを無視するように構成される。
【０００８】
本発明の目的は、共用チャンネルのデータを正しいユーザに指定する際のシステムレベルシグナリング又は指示子の使用に関連した問題を解消することである。本発明の基本的な考え方は、バーストにトレーニングシーケンスを使用して、通信システムの共用チャンネルに対する受信器を識別することである。
デジタル移動通信システムでは、無線経路上に送信されるべき情報が、送信器及び受信器に知られた拡散コード、好ましくは、共用チャンネルに使用される１つの拡散コードのみによって暗号化される。しかしながら、本発明は、これに限定されるものではなく、共用チャンネルが多数の拡散コードを使用する場合でも、受信器は、それにアドレスされた情報をトレーニングシーケンスによって識別する。
【０００９】
本発明は、多数の効果を発揮する。無線チャンネルの不良受信状態では、受信される情報の内容は、高い確実性に依存する。というのは、トレーニングシーケンスは、ユーザにアドレスされたバーストを識別するために共用チャンネルに使用され、そしてトレーニングシーケンスは、実際上、バーストの指示子フィールドより長いからである。又、トレーニングシーケンスを使用してバーストを識別するのも好都合である。というのは、指示子フィールドにはバースト記号を使用する必要がないので、バーストのデータ部分は、そのバーストがどのユーザにアドレスされたかを指示するためにバーストの指示フィールドが指定される状態に比して長くできるからである。
【００１０】
チャンネルのクオリティがトレーニングシーケンスによって推定されるときには、既知の方法によって得られるスレッシュホールド値が推定に使用されるのが好ましい。チャンネルクオリティのスレッシュホールド値は、ユーザ専用のチャンネルに送信されるべきデータパケットにより発生されるのが好ましい。本発明の好ましい実施形態によれば、専用のチャンネルが、共用チャンネルと同時にユーザに割り当てられる。この場合、専用チャンネルに送信されるデータが受ける障害が、共用チャンネルの障害との良好な比較点となる。ターミナルは、受信バーストに対して計算されたチャンネル推定値がスレッシュホールド値を越える場合に、バーストのデータ内容を読み取ることにより受信バーストを推定する。チャンネル推定値がスレッシュホールド値より低い場合には、受信バーストは読み取られず、即ち無視される。受信バーストに対する付加的なフィルタとして、上記スレッシュホールド値テストに加えて、受信バーストに対してＣＲＣ（繰り返し冗長テスト）を実行して、バーストがユーザに意図されたものであるという確実性を更に高くすることができる。
【００１１】
本発明の実施形態によれば、共用チャンネルを経て送信されるデータパケットを識別するときに受信器が使用すべきトレーニングシーケンスは、ターミナルに意図されたトラフィックが共用チャンネル上でスタートする前にターミナルに供給される。ターミナルシーケンスは、専用接続の設定段階において移動電話に送信されるのが好ましい。この場合に、例えば、専用チャンネルに送信されるべきトレーニングシーケンス及び共用チャンネルに送信されるべきトレーニングシーケンスは、例えば、制御チャンネルＦＡＣＨ（フォワードアクセスチャンネル）を経てユーザに信号される。又、専用チャンネル及び共用チャンネルの両方に同じトレーニングシーケンスを使用することもできる。
【００１２】
本発明は、時分割及びコード分割多重アクセス方法を用いる移動通信システム、例えば、ＵＭＴＳ（ユニバーサル移動電話システム）に適用できるのが好ましい。本発明は、ＴＤＤ（時分割デュープレックス）を用いるセルラー無線ネットワークに特に使用できるが、これに限定されるものではない。本発明の基本的な考え方は、各タイムスロットにおいて送信されるべき多数のバーストに同じトレーニングシーケンスが使用され、これにより、全てのバーストが所与のユーザにアドレスされることである。これは、ユーザのデータ送信容量を一時的に著しく増加できるという効果を発揮する。更に、本発明は、無線ネットワークが同じトレーニングシーケンスを多数のユーザに送信し、そして多数のユーザが同じ情報を受信するというポイント対マルチポイント型のブロードキャスティングに好ましく適用できる。
【００１３】
【発明を実施するための最良の形態】
以下、添付図面を参照して、本発明の好ましい実施形態を詳細に説明する。
本発明の説明において、通信システムとは、例えば、第２世代のデジタル移動通信システムＧＳＭ（移動通信用のグローバルシステム）、及び現在規格化されている第３世代の移動通信システムＵＭＴＳにより代表される公衆地上移動ネットワークＰＬＭＮを指す。上記移動通信システムに加えて、通信システムは、ＰＳＴＮ（公衆サービス電話ネットワーク）のような固定のテレコミュニケーションネットワークの部分を含んでもよい。通信システムの共用チャンネルは、多数のデータ受信器が同時に通信できるところのトラフィック又は制御チャンネルを指す。移動通信システムにおいて、受信器とは、実際には、システム内で情報を送信及び受信するための手段を含むターミナルを指す。ターミナルは、例えば、上記機能を含む移動電話、コンピュータ、又は他の装置である。
【００１４】
デジタル移動通信システムにおいて、情報は、特殊な形態のデータパケットでしばしば送信され、これらデータパケットは、無線経路に送信されるバーストに入れられる。ユーザにアドレスされる実際のデータに加えて、バーストは、他のデータ部分も含む。例えば、ＧＳＭ及びＵＭＴＳシステムでは、チャンネルシグナリングにおいてユーザが経験する干渉が、バーストに含まれたトレーニングシーケンスによって推定される。トレーニングシーケンスとは、送信器及び受信器に知られた多数の記号であり、これにより、受信器は、送信経路により情報に生じた歪を決定し、そしてその歪情報を使用して、必要に応じてデータを修正することができる。
【００１５】
本発明は、時分割及びコード分割多重アクセス方法（ＴＤＭＡ／ＣＤＭＡ）を用いた異なる移動電話システムに好ましく使用できる。ここでは、直接シーケンス技術により実施される広帯域コード分割多重アクセス方法を使用するユニバーサル移動電話システムに本発明を適用した場合について例示するが、本発明は、これに限定されるものではない。従って、日本のＡＲＩＢ（アソシエーション・オブ・ラジオ・インダストリー・アンド・ビジネス）により開発されたＩＭＴ−２０００移動電話システム、及びヨーロッパで開発されたユニバーサル移動電話システム（ＵＭＴＳ）が本発明によるシステムである。ここに示す例は、ＷＣＤＭＡシステムの説明をベースとするものであり、その付加的な情報については、参考としてここに取り上げるＥＴＳＩ（ヨーロピアン・テレコミュニケーションズ・スタンダーズ・インスティテュート）仕様書、「The ETSI UMTS Terrestrial Radio Access (UTRA) ITU-R RTT Candidate Submission (Tdoc SMG2 260/98、１９９８年５月／６月)」に見ることができる。ＵＭＴＳの無線ネットワーク部分は、２つのモード、即ちＦＤＤ（周波数分割デュープレックス）及びＴＤＤ（時分割デュープレックス）で動作する。ＦＤＤは、対構成の周波数帯域を使用するもので、アップリンク方向とダウンリンク方向に異なる周波数範囲が定義される。ＴＤＤは、１つの周波数帯域で動作し、アップリンク方向及びダウンリンク方向は同じ無線周波数を使用するが、上記周波数範囲内で異なるタイムスロットを使用する。
【００１６】
図１Ａ及び１Ｂを参照し、ユニバーサル移動電話システムの構造について説明する。この図は、本発明に関連したブロックしか示さないが、従来の移動電話システムは、ここで説明する必要のなる他の機能及び構造も含むことが当業者に明らかであろう。移動電話システムの主要部分は、コアネットワークＣＮ、ＵＭＴＳ地上無線アクセスネットワークＵＴＲＡＮ、及びユーザ装置ＵＥである。ＣＮとＵＴＲＡＮとの間のインターフェイスをＩｕと称し、そしてＵＴＲＡＮとＵＥとの間のエアインターフェイスをＵｕと称する。無線接続、及びセルレベルでのＵＥの移動に関連した全ての機能は、ＵＴＲＡＮにおいて実行される。ＵＥへの専用無線接続は存在せず、ＵＥの移動により生じる登録段階は、ＣＮにおいて実行される。
【００１７】
ＵＴＲＡＮは、無線ネットワークサブシステム（ＲＮＳ）で構成される。このＲＮＳは、更に、サービスＲＮＳ（ＳＲＮＳ）とドリフトＲＮＳ（ＤＲＮＳ）に分割することができ、これらは、必要なときに、ＳＮＲＳを経てＵＥに無線リソースを与える。ＲＮＳ間のインターフェイスは、Ｉｕｒと称される。ＲＮＳは、ＵＥの移動により生じるハンドオーバー判断を担当する無線ネットワークコントローラＲＮＣで構成される。ＲＮＳは、次いで、インターフェイスＩｕｂを経て、これもＲＮＳのもとで機能する１つ以上のノードＢ即ちベースステーションと通信する。ノードＢのカバレージエリア即ちセルは、図１Ａ及び１ＢにＣで示されている。
図１Ａは、非常に抽象的であるので、図１Ｂでは、ＵＭＴＳの部分にほぼ対応するＧＳＭシステムの部分を示すことにより明瞭化している。図示されたマッピングは、何らこれに拘束されるものではなく、近似に過ぎないことが明らかであろう。というのは、ＵＭＴＳの部分の役割及び機能は、まだプランニング中だからである。
【００１８】
図１Ｂによれば、ＵＥから、公衆交換電話ネットワークＰＳＴＮ１０２に接続された加入者ターミナル１００への回路交換接続を設定することができる。ＵＥは、例えば、固定、乗物搭載又はポータブル移動電話である。ベースステーションＢは、マルチプレクサ１１４と、トランシーバ１１６と、これらマルチプレクサ１１４及びトランシーバ１１６を制御する制御ユニット１１８とを備えている。マルチプレクサ１１６は、複数のトランシーバ１１４に使用されるトラフィック及び制御チャンネルを、ベースステーションＢとＲＮＣとの間のインターフェイスであるリンクＩｕｂに配置するように働く。ＵＥへの両方向無線接続Ｕｕを実施するためにベースステーションＢのトランシーバ１１６からアンテナユニット１２０への接続がある。両方向無線接続Ｕｕを経て送信されるフレームの構造は、正確に規定されている。
【００１９】
ベースステーションコントローラＲＮＣは、グループスイッチフィールド１１０及び制御ユニット１１２を備えている。ＲＮＣは、通常、無線リソース、セル間ハンドオーバーの制御、電力制御、タイミング及び同期、ターミナルのページングを管理する。グループスイッチフィールド１１０は、スピーチ及びデータをスイッチングそしてシグナリング回路を結合するのに使用される。ベースステーションＢ及びベースステーションコントローラＲＮＣにより構成されたベースステーションシステムは、更に、トランスコーダ１０８を含む。ＲＮＣとベースステーションＢとの間での作業及び物理的構造の配分は、実施形態に基づいて変化し得るが、通常、ベースステーションＢは、上述したような無線経路の実施に付随する。トランスコーダ１０８は、通常、移動交換センター１０６にできるだけ接近して配置される。というのは、このようにすれば、スピーチを移動電話システムの形態で移動電話センター１０６とＲＮＣとの間に送信することができ、送信容量を節約できるからである。トランスコーダ１０８は、公衆電話ネットワークと無線電話ネットワークとの間に使用されるスピーチ用の異なるデジタルコード形態を変換してそれらを互いに適合し得るようにし、例えば、セルラー無線ネットワークに使用される６４ｋビット／ｓフォーマットを別の（例えば、１３ｋビット／ｓ）形態へ、及びそれとは逆に変換する。必要とされる装置は、ここでは説明しないが、トランスコーダ１０８ではスピーチのみが変換され、他のデータは変換されないことを述べておく。制御ユニット１１２は、コール制御、移動管理、統計学的情報の収集、及びシグナリングを遂行する。コアネットワークＣＮは、ＵＴＲＡＮの一部分ではない移動電話システムのインフラストラクチャーで構成される。コアネットワークＣＮ内の装置の中で、図１Ｂは、移動交換センター１０６及びゲートウェイ移動交換センター１０４を示しており、これは、移動電話システム以外のテレコミュニケーションネットワーク、この場合は、公衆電話ネットワーク１０２への移動電話システム接続を取り扱う。ＣＮは、ユーザデータ送信に指定された専用のデータ送信リソース又は接続がないときにＵＴＲＡＮを経てＵＥの移動管理に注目する。
【００２０】
次いで、図２を参照すれば、無線インターフェイスＵｕの構造は、３層プロトコルスタックであり、それらの層は、物理層Ｌ１、データリンク層Ｌ２及びネットワーク層Ｌ３を含む。層Ｌ２は、２つのサブ層ＬＡＣ（リンクアクセス制御）及びＭＡＣ（媒体アクセス制御）に更に分割される。ネットワーク層Ｌ３及びＬＡＣは、制御（Ｃ）及びユーザ（Ｕ）レベルに更に分割される。物理層Ｌ１は、搬送チャンネルＭＡＣ及びより上位のレベルへの情報送信サービスを与える。層Ｌ２／ＭＡＣは、次いで、物理的送信チャンネルと、プロトコルスタックにおいて上位の論理的チャンネルとの間で情報を送信する。図２を参照すれば、一例として、論理的制御チャンネルＢＣＣＨ（ブロードキャスト制御チャンネル）は、送信チャンネルＢＣＨにおいて実施され、論理的トラフィックチャンネルＤＳＣＨは、送信チャンネルＤＳＣＨにおいて実施され、そして論理的制御チャンネルＦＡＣＨは、送信チャンネルＤＳＣＨにおいて実施されると言える。
【００２１】
送信チャンネルは、専用チャンネル及び共通チャンネルに分割される。専用チャンネルを使用するユーザは、物理的チャンネルにより識別され、従って、例えば、ＵＴＲＡＮ  ＴＤＤモードでは、物理的チャンネルのタイムスロットがユーザに対応する。多数のユーザにより同時に使用できる共通チャンネルでは、ユーザ識別のために、物理的チャンネルに送信されるべきバーストにＴＦＣＩフィールドを使用するか、又は高レベルシグナリングによりユーザを指示するといった他の方法を使用しなければならない。
以下、送信チャンネル及び物理的チャンネルを、ＵＴＲＡＮ  ＦＤＤモードに基づいて説明するが、これに限定されるもにではない。テーブル１は、物理的チャンネルへの送信チャンネルのマッピングを示す。
テーブル１：物理的チャンネルにおける送信チャンネルの位置
送信チャンネル 物理的チャンネル
BCH                   一次CCPCH
FACH                  二次CCPCH
PCH,RACH,FACH         PRACH
DCH,PCH,FAUSCH        DPDCH,DPCCH,SCH
DSCH                  PDSCH
DSCH制御チャンネル    PSCCH,AICH
【００２２】
１つの形式の専用送信チャンネル、即ち専用チャンネルＤＣＨしかない。このＤＣＨは、ネットワークとＵＥとの間にユーザ及び制御情報を送信するために、アップリンク及びダウンリンクの両方向に使用される。共通の送信チャンネルは多数の形式があり、即ちブロードキャストチャンネルＢＣＨは、セルに関する情報をターミナルへ送信するためにダウンリンク方向に使用され、ページングチャンネルＰＣＨでは、ターミナルの位置がシステムに分からないときにターミナルの位置情報が問合わせされ、フォワードアクセスチャンネルＦＡＣＨでは、ベースステーションがターミナルの位置を知っているときに情報がターミナルへ送信され、ランダムアクセスチャンネルＲＡＣＨでは、例えば、接続の設定に関するアップリンク制御情報をターミナルが送信することができ、同期チャンネルＳＣＨでは、システムが同期情報をターミナルへ送信することができ、ダウンリンク共用チャンネルＤＳＣＨでは、同じチャンネルを共用する多数のＵＥへデータを送信することができ、そしてダウンリンク共用チャンネルの制御チャンネルＤＳＣＨでは、ＤＳＣＨの使用に関する制御情報を、ＤＳＣＨで動作しているＵＥに送信することができる。本発明は、どの制御チャンネルがＤＳＣＨの使用に関連しているかに限定されるものではないが、それでも、制御チャンネルが存在するのが好ましい。システムが、例えば、ＤＳＣＨ制御チャンネルを全くもたないことも考えられるが、ＤＳＣＨの使用に関連したシグナリングが、例えば、接続の設定段階で論理的制御チャンネルＦＡＣＨに付随されるか、又は接続中に論理的専用トラフィックチャンネルＤＣＨに付随される。この例では、ＤＳＣＨの使用に関連したシグナリングは、例えば、共用チャンネルを使用する機会についてターミナルに通知がなされることを意味する。更に、本発明によれば、ターミナルが、ＤＳＣＨを経てそれにアドレスされたバーストを識別するところのパイロット記号は、制御チャンネルを経てターミナルに信号されるのが好ましい。
【００２３】
上記テーブル１を参照すれば、上記送信チャンネルに対応する物理的チャンネルは、テーブルの右側の欄に示されている。２つの専用の物理チャンネルＤＰＤＣＨ（専用物理データチャンネル）及びＤＰＣＣＨ（専用物理制御チャンネル）は、アップリンク方向に定義される。アップリンクＤＰＤＣＨは、層Ｌ２以上で発生されたデータを送信するのに使用され、一方、ＤＰＣＣＨは、層Ｌ１に発生された制御情報を送信するのに使用される。更に、１つの共通の物理チャンネルＰＲＡＣＨ（物理的ランダムアクセスチャンネル）は、アップリンク方向に定義されており、これは、ＲＡＣＨ送信チャンネルに関連した情報を送信するのに使用される。ダウンリンク方向には、１つの専用の物理的チャンネル、即ちダウンリンク専用物理的チャンネルＤＰＣＨのみが定義されている。２つの専用の物理的チャンネルが存在するアップリンクと比較すると、ダウンリンクＤＰＣＨは、ダウンリンクＤＰＤＣＨ及びＤＰＣＣＨの時間マルチプレクスされた組合せであると考えられる。ダウンリンク方向には、２つの物理的チャンネル、即ち一次ＣＣＰＣＨ（一次共通制御物理的チャンネル）及び二次ＣＣＰＣＨ（二次共通制御物理的チャンネル）が定義される。一次ＣＣＰＣＨは、ＢＣＨ送信チャンネルの情報を送信し、そしてＣＣＰＣＨはＦＡＣＨ送信チャンネルの情報を送信する。
【００２４】
物理的チャンネルに使用されるフレーム及びバースト構造は、送信がどの物理的チャンネルで行なわれるかに基づいて互いに異なる。図３Ａを参照し、ＵＴＲＡ  ＴＤＤモードのＰＤＰＣＨ物理的チャンネルのフレーム構造について一例として説明する。フレーム３４０Ａ−３４０Ｄは、１から７２まで順次番号付けされ、７２０ｍｓ長さのスーパーフレームを形成する。１つのフレーム、例えば、３４０Ｃの長さは、１０ｍｓである。フレーム３４０Ｃは、１６個のタイムスロット３３０Ａ−３３０Ｄに分割され、その各々、例えば、３３０Ｃは、０．６２５ｍｓ長さのタイムスロットを有する。各タイムスロットは、多数の異なるユーザに同時に割り当てることができ、それ故、拡散コードを使用してユーザが分離される。タイムスロット３３０Ｃにおいて送信されるべきデータパケットをバーストと称し、バーストは２５６０個のチップを含む。拡散コードに基づき、１つのタイムスロットのバーストを異なるユーザにアドレスできるが、それら全てを同じユーザに向けることもできる。バーストが異なるユーザに意図される場合には、８個までのバーストを１つのアップリンクタイムスロットに配置することができる。１つのダウンリンクタイムスロットには、９個まで又は１０個のバーストを配置することができる。２つの構造的に異なるバースト形式、バースト＃１及びバースト＃２が、ＤＰＣＨチャンネルに対して定義されている。バースト＃２の形式である図３Ａのバーストでは、チップ０ないし１１０３は、データを含み、チップ１１０４−１３５９は、中置き部分(midamble)を含み、チップ１３６０−２４６３は、再びデータを含み、そしてバーストの終りに９６チップ長さの保護周期がある。このような内容をもつバーストは、例えば、ダウンリンクチャンネルに使用することができる。アップリンクチャンネルに使用されるバーストの中間部は、異なるユーザからベースステーションへ到来するバーストの分類を容易にするために、通常、長いものである。
【００２５】
ＴＦＣＩ情報は、バースト＃１及びバースト＃２の両バースト形式で送信することができる。ネットワーク及びターミナルは、コールの設定段階でバーストにおけるＴＦＣＩの使用について合意するが、進行中コールの間にも合意することができる。又、ターミナル及びネットワークは、中置き部分の両側でＴＦＣＩに対して指定されるべきビット数に基づいて判断してもよい。ＴＦＣＩ情報は、フレーム当たり１回、全てのユーザに送信され、そしてＴＦＣＩは、バーストのデータ部分と同じ拡散コードを使用して拡散される。
【００２６】
本発明の解決策では、ＴＦＣＩ指示子は、セルラー無線ネットワークの共用チャンネルにおいてバーストのパイロット記号の回りに使用されず、ユーザは、異なるトレーニングシーケンスに基づいて区別される。共用チャンネルに使用されるトレーニングシーケンスは、専用トラフィックチャンネルＤＣＨ、ダウンリンクアクセスチャンネルＦＡＣＨ又は他の何らかのチャンネルを経てユーザデータにおいて信号される。共用チャンネルに使用されるトレーニングシーケンスがどのチャンネルを経てユーザに信号されるかは、本発明に関与しないが、上記制御情報がターミナルへ送信される他の何らかのチャンネルが存在することが重要である。
【００２７】
１つの実施形態では、本発明の解決策は、時分割多重アクセス方法を使用するセルラー無線ネットワークに使用され、多数のバーストを１つのタイムスロットで送信できるようにする。しかしながら、共用チャンネルの１つのタイムスロットで送信される全てのバーストに同じトレーニングシーケンスを使用し、これにより、１つのタイムスロットの全バーストが同じユーザにアドレスされるのが好ましい。これは、同じタイムスロットのバーストに異なる拡散コードを使用できる場合でもそうである。この場合には、バーストは、トレーニングシーケンスに基づいて識別される。
【００２８】
本発明による方法の実施形態を方法段階の形態で示す図３Ｂについて説明する。初期段階６００において、無線システムリソースがターミナルに割り当てられ、ターミナルは、共用チャンネルの制御チャンネル、例えば、ＤＳＣＨ制御チャンネル、ターミナルに指定された専用チャンネル、例えば、ＤＣＨ、システム制御チャンネル、例えば、ＦＡＣＨ、又は他の対応するチャンネルを聴取する。段階６０２では、ターミナルは、上記制御チャンネルを経て１つ以上のバーストを受信し、これらバーストにおいて、システムは、ターミナルにトレーニングシーケンスを送信し、ターミナルは、ＤＳＣＨのような共用チャンネルにおいてバーストを識別するときにこのトレーニングシーケンスを使用する。本発明の実施形態では、１つのトレーニングシーケンスのみがターミナルに割り当てられ、ターミナルは、制御及び共用の両チャンネルにおいてそれを使用する。この場合、制御チャンネルを経てターミナルへ送信される情報は、例えば、ターミナルが共用チャンネルを聴取しなければならないことを示す。段階６０４を参照すれば、ターミナルは、制御チャンネルを経て送信された上記トレーニングシーケンスを含むバーストをシステムがターミナルに送信するところの共用チャンネルを聴取する。バーストのトレーニングシーケンスに基づいて、ターミナルは、チャンネル推定値を発生し、即ち無線経路がバーストのデータ内容をいかに歪ませたかを推定しようとする。送信ユニット及びパケットのクオリティをチェックする方法は多数ある。受信した送信ユニットのクオリティは、トレーニングシーケンスにより送信ユニットのＣ／Ｉ比（搬送波／干渉）を発生することにより決定できる。又、クオリティは、ＳＩＲ（信号対干渉比）を調べるか、送信ユニットのビットエラー率を発生するか、又はチップエネルギー対障害電力周波数の比Ｅc／Ｉoを調べることによっても決定できる。これらは、送信ユニット又はパケットのクオリティを決定する一例であるが、クオリティを測定する他の既知の方法を使用することもできる。接続のクオリティに対するスレッシュホールド値は、ここに述べるいずれかの方法によって発生することもできるし、又は使用中の制御チャンネルにより何らかの対応する方法によって発生することもできる。制御チャンネルを使用してスレッシュホールド値を発生する必要はなく、ある所定の基準値をスレッシュホールド値として使用することができる。段階６０８では、共用チャンネルに発生された受信バーストを使用して、発生されたクオリティ値がスレッシュホールド値と比較される。得られたクオリティ値がスレッシュホールド値を越える場合には、バーストがユーザに意図されたものとみなされ、バーストのデータ内容が読み取られる。クオリティ値がスレッシュホールド値より小さい場合には、受信したバーストが読み取られない。上記段階６０４ないし６１２は、共用チャンネルから情報を読み取ることが意図される限り、即ち、例えば、専用のトラフィックチャンネルがユーザに割り当てられる限り、繰り返される。
【００２９】
以下、送信器−受信器技術により無線経路の物理的チャンネルへの情報の送信に関連した段階を、図４及び５を参照して説明する。図４は、無線送信器／無線受信器対の動作を一般的なレベルで示す。無線送信器は、ベースステーションＢ又はユーザ装置ＵＥに配置され、そして無線受信器は、ユーザ装置ＵＥ又はベースステーションＢに配置される。図４の上部は、無線送信器の本質的な動作を示し、制御チャンネルのプロセス段階は、上述した通りであり、そしてそれらの下には、チャンネルを合成して無線接続の物理的チャンネルへ送信する前のデータチャンネルのプロセス段階を示す。物理的チャンネルに入れられるべきサービスは、スピーチ、データ、動画映像又は静止映像、及びシステム制御チャンネルを含む。異なるサービスは、異なるソースコード手段を必要とし、例えば、スピーチは、スピーチコーデックを必要とするが、簡単化のために、ソースコード手段は示されていない。例えば、バーストのトレーニングシーケンスを形成するパイロットビットであって、受信器がチャンネルを推定しそして図３の共用チャンネルの使用に関して結論を出すのに使用するパイロットビットが、制御チャンネル４１４に入れられる。ユーザデータ４００はデータチャンネルに入れられる。従って、ブロック４０２Ａ及び４０２Ｂにおいて異なるチャンネルに対して異なるチャンネルコード化が実行される。チャンネルコードは、例えば、異なるブロックコードを含み、その一例が繰り返し冗長チェックＣＲＣである。更に、コンボリューションコード及びその種々の変形、例えば、パンクチャード・コンボリューションコード又はターボコードが通常使用される。しかしながら、パイロットビットは、チャンネルにより信号に生じる歪を見出すことを意図したものであるから、チャンネルコード化されない。異なるチャンネルがチャンネルコード化されるときには、それらがインターリーバー４０４Ａ、４０４Ｂにおいてインターリーブされる。インターリーブ動作は、エラー修正を容易にする。インターリーブ中に、異なるサービスのビットがあるやり方で一緒に混合され、無線経路における過渡的なフェージングが必ずしも送信情報を識別不能にしないようにする。インターリーブされたビットは、次いで、ブロック４０６Ａ、４０６Ｂにおいて拡散コードで拡散される。このようにして得られたチップは、ブロック４０８においてスクランブルコードでスクランブルされそして変調され、その動作は、図５を参照して詳細に述べる。異なるチャンネルから得られる個々の信号は、同じ送信器を経て送信するために、ブロック４０８において合成される。最終的に、合成された信号は、高周波部分４１０へ送られ、この部分は、異なる電力増幅器と、帯域巾を制限するためのフィルタとを含む。送信電力制御に使用される閉ループ制御は、通常、このブロックにおける送信電力制御増幅器を制御する。アナログ無線信号は、アンテナ４１２を経て無線経路Ｕｕへ送信される。
【００３０】
図４の下部は、無線受信器の本質的な機能を示す。無線受信器は、通常、レーキ(RAKE)受信器である。アンテナ４３２により無線経路Ｕｕからアナログ高周波信号が受信される。この信号は、所望周波数帯域以外の周波数を阻止するためのフィルタを含む高周波部分４３０へ送られる。次いで、信号は、ブロック４２８において、中間周波に変換されるか又は基本帯域に直接変換され、この形態で、信号はサンプリング及び量子化される。当該信号は多経路伝播信号であるから、公知技術により受信器の実際のレーキフィンガを含むブロック４２８において、異なる経路を伝播した信号成分を合成するための努力がなされる。得られた物理的チャンネルのインターリーブは、デインターリーブ手段４２６において解除され、そのデインターリーブされた物理的チャンネルは、デマルチプレクサ４２４において異なるチャンネルのデータ流に分割される。各チャンネルは、デチャンネルコードブロック４２２Ａ、４２２Ｂへ向けられ、そこで、送信に使用されたチャンネルコード、例えば、ブロックコード及びコンボリューションコードが除去される。ビタビデコーダを使用して、コンボリューションコードをデコードするのが好ましい。各送信チャンネル４２０Ａ、４２０Ｂは、更に別の必要な処理を受けることができ、例えば、データ４２０は、ユーザ装置ＵＥに接続されて図１Ｂに示されたコンピュータ１２２へ送られる。システム制御チャンネルは無線受信器の制御部４３６へ送られる。
【００３１】
図５は、拡散コードによるチャンネルの拡散及びその変調を詳細に示す。この図において、チャンネルビット流は、左からブロックＳ／Ｐに到着し、ここで、各２ビットシーケンスは、シリアル形態からパラレル形態に変換され、即ち１つのビットが信号岐路Ｉに送られ、そして他のビットが信号岐路Ｑに送られる。これら信号岐路Ｉ及びＱは、次いで、拡散コードｃchが乗算され、比較的狭帯域の情報が広い周波数帯域へと拡散される。拡散コードは、各岐路ごとに同じであっても異なってもよい。各接続Ｕｕは、それ自身の拡散コード（１つ又は複数）を有し、これにより、受信器は、それに意図された送信を識別する。次いで、信号は、各送信器ごとに異なるスクランブルコードｃI scramb＋ｊｃQ scrambを乗算することによりスクランブルされる。パルス形態の得られた信号は、フィルタｐ（ｔ）でフィルタされる。最後に、信号は、互いに９０°シフトされた異なる岐路を乗算することにより高周波の搬送波に対して変調され、このようにして得られた岐路が１つの搬送波へと合成され、これを、フィルタ又は電力増幅を経て無線経路Ｕｕへ送信することができる。ここに示す変調は、ＱＰＳＫ（直角位相シフトキーイング）である。上述したＩ／Ｑマルチプレクシングに代わって、データ及び制御チャンネルを時間ドメインに次々に配する時間マルチプレクシングも使用できる。しかしながら、この場合、チャンネル間の時間差が小さいので、制御チャンネルから推定される干渉は、データチャンネルにおいても同じであると仮定することができる。
【００３２】
同時に使用される通常相互に直交する異なる拡散コードの最大数は、２５６である。例えば、５ＭＨｚ搬送波が、ＵＭＴＳダウンリンクの４．０９６Ｍチップのレートで使用されるときには、拡散ファクタ２５６が３２ｋｂｐｓの送信レートに対応し、同様に、実現可能な最も高い送信レートが拡散ファクタ４で得られ、データ送信レートは、２０４８ｋｂｐｓである。従って、チャンネルの送信レートは、３２、６４、１２８、２５６、５１２、１０２４及び２０４８ｋｂｐｓの段階で変化し、拡散ファクタは、同様に、２５６、１２８、６４、３２、１６、８及び４と変化する。ユーザに得られるデータ送信レートは、使用するチャンネルコードに依存する。例えば、１／３コンボリューションコードが使用されるときには、ユーザのデータ送信レートは、チャンネルのデータ送信レートの約１／３である。拡散ファクタは、拡散コードの長さを指示する。例えば、拡散コード（１）は、拡散ファクタ１に対応する。拡散ファクタ２は、２つの相互に直交する拡散コード（１、１）及び（１、−１）を有する。更に、拡散ファクタ４は、４つの相互に直交する拡散コード、即ち上位層拡散コード（１、１）のもとの拡散コード（１、１、１、１）及び（１、１、−１、−１）と、第２の上位層拡散コード（１、−１）のもとの拡散コード（１、−１、１、−１）及び（１、−１、−１、１）とを有する。このように、拡散コードの発生は、コードツリーにおいて下位レベルに向かって続けられる。所与のレベルの拡散コードは、常に、相互に直交する。同様に、所与のレベルの拡散コードは、後続レベルにある全ての拡散コードに対して直交し、そして同じレベルの第２の拡散コードから導出される。送信中に、１つの記号が拡散コードで乗算され、従って、データは、使用すべき周波数帯域に拡散される。例えば、拡散コード２５６を使用するときには、２５６個のチップが１つの記号を表わす。同様に、拡散コード１６が使用されるときには、１６個のチップが１つの記号を表わす。
以上、添付図面を参照して本発明を詳細に説明したが、本発明は、これに限定されるものではなく、特許請求の範囲に記載した本発明の考え方の中で種々の変更がなされ得ることが当業者に明らかであろう。
【図面の簡単な説明】
【図１Ａ】  ＵＭＴＳ移動電話システムを示す概略図である。
【図１Ｂ】  ＧＳＭネットワークで示したＵＭＴＳ移動電話システムを示す図である。
【図２】  ＵＭＴＳ移動電話システムの無線インターフェイスに使用されるプロトコルスタックの構造を示す図である。
【図３Ａ】  物理的レベルにおける移動電話システムのチャンネルの実施を示す図である。
【図３Ｂ】  本発明の考え方としてバーストのトレーニングシーケンスの使用を示すフローチャートである。
【図４】  送信器において実行される拡散及び変調を示す図である。
【図５】  図４に示す受信器のスクランブル解除、拡散コード解除及び復調の複合ブロックに対する本発明の解決策を示す図である。
【図１Ａ】
0003845014.tif 000002
【図１Ｂ】
0003845014.tif 000003
【図２】
0003845014.tif 000004
【図３Ａ】
0003845014.tif 000005
【図３Ｂ】
0003845014.tif 000006
【図４】
0003845014.tif 000007
【図５】
0003845014.tif 000008